(57)【要約】      （修正有）【課題】より少ない部材の交換で再生することを可能とする洗濯機用糸屑捕集器を提供する。【解決手段】洗濯機用糸屑捕集器１０は、洗濯物を洗う洗濯機の洗濯槽の内側面に対して着脱可能であり、所定の面積の枠体側開口部を有する枠体部１２と、伸縮部材を用いて袋状に編み込まれ、洗濯物から生じた糸屑を取り込むための袋側開口部１４ａを有し、枠体部１２に装着可能な伸縮部１４と、を備え、枠体部１２は、伸縮部１４を引っかけて係止するための突起部を有することを特徴とする。【選択図】図２
0003205895.tif 000002
【実用新案登録請求の範囲】
【請求項１】
洗濯物を洗う洗濯機の洗濯槽の内側面に対して着脱可能であり、所定の面積の枠体側開口部を有する枠体部と、
伸縮部材を用いて袋状に編み込まれ、前記洗濯物から生じた糸屑を取り込むための袋側開口部を有し、前記枠体部に装着可能な伸縮部と、
を備え、
前記枠体部は、前記伸縮部を引っかけて係止するための突起部を有することを特徴とする洗濯機用糸屑捕集器。
【請求項２】
請求項１に記載の洗濯機用糸屑捕集器において、
前記伸縮部は、前記袋側開口部の周囲を覆うように設けられ、前記袋側開口部を閉じる方向に付勢力を与えるゴム部材を含むことを特徴とする洗濯機用糸屑捕集器。
【請求項３】
請求項１または請求項２に記載の洗濯機用糸屑捕集器において、
前記伸縮部材は、ポリウレタンを含み、
前記伸縮部は、メリアス編みにより形成されていることを特徴とする洗濯機用糸屑捕集器。
【考案の詳細な説明】
【技術分野】
【０００１】
本考案は、洗濯機用糸屑捕集器に関する。
【背景技術】
【０００２】
従来、洗濯機の洗濯槽の内側面には、洗濯物から発生する糸屑を捕集するための糸屑フィルターが取り付けられている。例えば、特許文献１には、電気洗濯機の洗濯中に出る糸屑等を捕集袋によって捕集する糸屑捕集装置において、糸屑捕集装置の捕集袋に所定する部分まで糸屑等が入ったことが分かるように色線を入れた糸屑捕集装置が開示されている。
【先行技術文献】
【特許文献】
【０００３】
【特許文献１】特開平１１−１９３９４号公報
【考案の概要】
【考案が解決しようとする課題】
【０００４】
一般的に、糸屑フィルターは、洗濯槽の内側面に着脱可能であり、略ロの字形状を有する枠体に細かい網目を有する布部材が取り付けられている。洗濯機が動作して洗濯物が渦を描くように動き、この動きによって生じた糸屑を糸屑フィルターの布部材の中に捕集している。
【０００５】
しかしながら、洗濯物が動いた際の水圧や洗濯物との衝突により、布部材が千切れてしまうことがある。このような場合に、糸屑フィルター全体を交換する必要があり、交換の必要のない枠体も取り換えることになるため、無駄が多いという課題がある。
【０００６】
本考案の目的は、より少ない部材の交換で再生することを可能とする洗濯機用糸屑捕集器を提供することである。
【課題を解決するための手段】
【０００７】
本考案に係る洗濯機用糸屑捕集器は、洗濯物を洗う洗濯機の洗濯槽の内側面に対して着脱可能であり、所定の面積の枠体側開口部を有する枠体部と、伸縮部材を用いて袋状に編み込まれ、前記洗濯物から生じた糸屑を取り込むための袋側開口部を有し、前記枠体部に装着可能な伸縮部と、を備え、前記枠体部は、前記伸縮部を引っかけて係止するための突起部を有することを特徴とする。
【０００８】
また、本考案に係る洗濯機用糸屑捕集器において、前記伸縮部は、前記袋側開口部の周囲を覆うように設けられ、前記袋側開口部を閉じる方向に付勢力を与えるゴム部材を含むことを特徴とする洗濯機用糸屑捕集器。
【０００９】
また、本考案に係る洗濯機用糸屑捕集器において、前記伸縮部材は、ポリウレタンを含み、前記伸縮部は、メリアス編みにより形成されていることが好ましい。
【考案の効果】
【００１０】
本考案によれば、枠体部に装着可能な伸縮部を有し、枠体部が伸縮部を引っかけて係止するための突起部を有している。これにより、万一、伸縮部が千切れてしまった場合であっても、枠体部は、そのまま使用し、伸縮部のみを交換するだけで良い。したがって、より少ない部材の交換で、洗濯機用糸屑捕集器として、再生することができる。
【図面の簡単な説明】
【００１１】
【図１】本考案に係る実施形態の洗濯機用糸屑捕集器を備えた洗濯機を示す図である。
【図２】本考案に係る実施形態の洗濯機用糸屑捕集器の斜視図である。
【図３】本考案に係る実施形態の洗濯機用糸屑捕集器において、枠体部と伸縮部とが分離された様子を示す図である。
【考案を実施するための形態】
【００１２】
以下に、本考案に係る実施の形態について添付図面を参照しながら詳細に説明する。  以下では、全ての図面において同様の要素には同一の符号を付し、重複する説明を省略する。また、本文中の説明においては、必要に応じそれ以前に述べた符号を用いるものとする。
【００１３】
図１は、本考案に係る実施形態の洗濯機用糸屑捕集器１０を備えた洗濯機１を示す図である。図２は、洗濯機用糸屑捕集器１０の斜視図である。図３は、洗濯機用糸屑捕集器１０において、枠体部１２と伸縮部１４とが分離された様子を示す図である。
【００１４】
洗濯機１は、洗濯機本体２と、洗濯機本体２内に図示しない釣り下げ手段で弾性的に支持された水槽３と、水槽３内に水平回転できるように槽軸４ａで支持された洗濯槽４と、洗濯槽４の内側面に設けられた捕集器取付台５とを備えている。
【００１５】
また、洗濯機１は、捕集器取付台５に着脱自在に固定された洗濯機用糸屑捕集器１０と、洗濯槽４内に水平回転できるようにパルセータ軸６ａに支持されたパルセータ６と、水槽３の下部に設けられた洗濯モータ７ａとを備えている。なお、ここでは、洗濯槽４は、脱水槽も兼用しているものとして説明する。
【００１６】
洗濯モータ７ａは、その駆動力をクラッチ機能付減速機構７ｂを介して、脱水時には槽軸４ａに、洗濯時にはパルセータ軸６ａに選択的に伝達する。
【００１７】
洗濯機用糸屑捕集器１０は、枠体部１２と、伸縮部１４とを備える。洗濯機用糸屑捕集器１０は、洗濯機１が動作中に洗濯物から発生する糸屑を捕集する機能を有する。
【００１８】
枠体部１２は、枠体１６と、突起部１８とを備えている。枠体１６は、長手方向に並んだ一対の長手部１６ａと、短手方向に並んだ一対の短手部１６ｂとを備えている。枠体１６は、一対の長手部１６ａと一対の短手部１６ｂに囲まれて形成された枠体側開口部１６ｃを有している。枠体側開口部１６ｃは、横長のロ字状を有し所定の孔面積を有している。また、枠体１６は、長手方向両端部に捕集器取付台５に着脱するための一対の凸部１６ｄがそれぞれ設けられている。
【００１９】
枠体１６は、適度な強度を有する部材で構成され、例えば、プラスチックなどの合成樹脂を用いて構成することができる。枠体１６の大きさは、洗濯機１の大きさなどにおいて自由に設定することができるが、一例とあげると、長手部１６ａの長さを１５ｃｍ、短手部１６ｂの長さを３ｃｍに設定することができる。
【００２０】
突起部１８は、長手部１６ａの平面上に載置され、両端が先細り形状の棒状部材である。突起部１８は、両端部付近において、テープ部材１８ａに巻回されることで、長手部１６ａにしっかりと固定される。
【００２１】
突起部１８は、例えば、木材を用いて構成することも可能であるが、枠体１６と同様に合成樹脂で構成してもよく、金属などの強度の高い部材で構成してもよい。また、ここでは、突起部１８は、テープ部材１８ａに巻回されて長手部１６に固定されるものとして説明したが、枠体１６と同じ合成樹脂を用いて一体化させることも可能である。突起部１８の長さは、長手部１６ａの長さより若干短いことが好ましく、例えば、長手部１６ａの長さを１５ｃｍである場合には、突起部１８の長さを１４ｃｍに設定することが好適である。
【００２２】
伸縮部１４は、枠体部１２に装着可能であり、洗濯物から生じた糸屑を取り込むための袋側開口部１４ａを有する袋部材である。伸縮部１４は、伸縮性を有するポリウレタンなどを含む伸縮部材を用いて、メリアス編みにより袋状に編み込まれることにより形成される。これにより、伸縮部１４は、洗濯槽４内を流れる水を排出しつつ、糸屑を捕集するのに適した網目形状となっている。なお、図２，３では、伸縮部１４の網目は、分かりやすさを重視して荒い表示になっているが、実際には、もう少し細かい網目である。
【００２３】
伸縮部１４は、袋側開口部１４ａの周囲を覆うように設けられ、袋側開口部１４ａを閉じる方向に付勢力を与えるゴム部材を含むゴム部１４ｂを備えている。ゴム部材として、例えば、ゴムあるいは伸縮糸を丸打ちあるいは平打ちして加工した紐を用いることができる。
【００２４】
続いて、上記構成の洗濯機用糸屑捕集器１０の作用について説明する。洗濯機１が作動すると、パルセータ６の動きによって、洗濯槽４内の洗濯水に水流を作り、その水流の流路に洗濯機用糸屑捕集器１０が設置されているため、洗濯物から発生した糸屑などのごみを捕集される。
【００２５】
一般的に、長期間洗濯機１を使い続けていると、洗濯水の水圧や洗濯物の衝突などが原因で袋状のフィルターが千切れてしまうことがある。しかしながら、本考案の洗濯機用糸屑捕集器１０の伸縮部１４は、メリアス編みで形成されて適度な強度を有しており、かつ、伸縮性を有しているため、千切れにくく長持ちするという利点がある。
【００２６】
また、万一、伸縮部１４が千切れてしまった場合にも、必要最小限の部材の交換で洗濯機用糸屑捕集器１０を再生させることができる。具体的には、洗濯機用糸屑捕集器１０の枠体部１２を捕集器取付台５から取り外す。
【００２７】
その後、千切れてしまった伸縮部１４の袋側開口部１４ａを広げて突起部１８から外すことで伸縮部１４を取り外すことができる。そして、新しい伸縮部１４を準備し、袋側開口部１４ａを広げて、袋側開口部１４ａ内に突起部１８を挿入し、広げられた袋側開口部１４ａをもとに戻すことで伸縮部１４を突起部１８に引掛けて固定することができる。これにより、新しい洗濯機用糸屑捕集器１０として使用することができる。
【００２８】
このように、洗濯機用糸屑捕集器１０は、枠体部１２と伸縮部１４とは分離可能であるため、万一、伸縮部１４が千切れてしまった場合であっても、枠体部１２は、そのまま流用しつつ、伸縮部１４のみ、すなわち、より少ない部材の交換で、洗濯機用糸屑捕集器再生することができるメリットがある。
【符号の説明】
【００２９】
１  洗濯機、２  洗濯機本体、３  水槽、４  洗濯槽、４ａ  槽軸、５  捕集器取付台、６  パルセータ、６ａ  パルセータ軸、７ａ  洗濯モータ、７ｂ  クラッチ機能付減速機構、１０  洗濯機用糸屑捕集器、１２  枠体部、１４  伸縮部、１４ａ  袋側開口部、１４ｂ  ゴム部、１６  枠体、１６ａ  長手部、１６ｂ  短手部、１６ｃ  枠体側開口部、１６ｄ  凸部、１８  突起部、１８ａ  テープ部材。
【図１】
0003205895.tif 000003
【図２】
0003205895.tif 000004
【図３】
0003205895.tif 000005